(57)【要約】【課題】  接続される管の種類に容易に対応することができ、かつ、継手としての機能性に優れるとともにコストを低減することができる、分岐管継手を提供する。【解決手段】  分岐管継手４は、一側に、本管２が接続される本管接続部４ａを有し、他側に、分岐管３が接続される分岐管接続部４ｂを有する。ここで、分岐管継手４は、前記本管接続部４ａを有する本管接続部材５と、前記分岐管接続部４ｂを有する分岐管接続部材６とを備える。そして、分岐管接続部材６は、挿入口形成部材７と抜脱防止部材８とからなる。挿入口形成部材７は、前記分岐管接続部４ｂを構成し分岐管３が水密状態に挿入される分岐管挿入口７ａを有する。抜脱防止部材８は、分岐管３の抜脱を防止するストッパー部材１４を有する。そして、本管接続部材５と挿入口形成部材７とは互いに連結されて、内部に本管から流出した水が各分岐管に流入する水流通路４ｃが形成される。【選択図】  図３
2009197835.tif 000002
【特許請求の範囲】
【請求項１】
建物内の各設備に水を分岐供給すべく、一側に、本管が接続される本管接続部を有するとともに、他側に、分岐管が接続される分岐管接続部を複数有する、分岐管継手であって、
前記本管接続部を有する本管接続部材と、前記分岐管接続部を有して前記本管接続部材と組み合わされる分岐管接続部材とを備え、
前記分岐管接続部材は、前記分岐管接続部を構成し前記分岐管が水密状態に挿入される分岐管挿入口を有する、挿入口形成部材と、その挿入口形成部材と連結されるとともに、前記分岐管挿入口に挿入された前記分岐管の抜脱を防止する、抜脱防止部材とからなり、
前記本管接続部材と前記挿入口形成部材とは互いに連結されて、内部に前記本管から流出した水が各分岐管に流入する水流通路が形成される、分岐管継手。
【請求項２】
前記水流通路は、前記本管接続部と複数の前記分岐管挿入口とに臨んで前記本管の流路断面よりも大きな断面の流路からなる、請求項１に記載の分岐管継手。
【請求項３】
前記本管接続部材は、前記本管の材質または径に応じて前記本管接続部を変更可能とすべく、前記本管の材質または径に対応する複数種類から択一的に選択されて用いられる、請求項１または２に記載の分岐管継手。
【請求項４】
前記分岐管接続部材は、前記分岐管の本数または径に応じて前記分岐管接続部を変更可能とすべく、前記分岐管の本数または径に対応する複数種類から択一的に選択されて用いられる、請求項１ないし３のいずれか１項に記載の分岐管継手。
【請求項５】
前記建物における壁に固定するための固定部材が着脱自在に組み付けられてなる、請求項１ないし４のいずれか１項に記載の分岐管継手。
【請求項６】
前記分岐管継手が前記壁に設けられた貫通孔に設置されるように、前記固定部材は、前記貫通孔の周縁部分の壁面に面する鍔部を有する、請求項５に記載の分岐管継手。
【発明の詳細な説明】
【技術分野】
【０００１】
この発明は、水を分岐供給するための分岐管継手に関するものである。
【背景技術】
【０００２】
従来、建物内の水消費設備に水を分岐供給するために、本管が接続される接続口と分岐管が接続される接続口とを備えたヘッダー（分岐管継手）があった。このヘッダーとしては、金属材料や合成樹脂材料により一体で製作されるものや（例えば、特許文献１参照）、ヘッダー本体に別体の継手が複数取り付けられるものがあった。ここにおいて、ヘッダーに接続される分岐管の数や径は、現場によって異なるため、一体で製作されるヘッダーにおいては、接続口の数や径の異なるヘッダーが複数用意され、また、ヘッダー本体に別体の継手が取り付けられるヘッダーにあっては、本体に径の異なる複数種類の継手が接続できるようになっていた。
【０００３】
【特許文献１】実公平６−１８１２８号公報
【発明の開示】
【発明が解決しようとする課題】
【０００４】
しかし、従来のヘッダーにおいては、接続口の数や径の異なる多種のヘッダーを製作・管理すること、また、複数の継手を個別にヘッダー本体に取り付けることは、面倒かつ不経済であった。そして、全体が金属材料で製作されるヘッダーは、重く、かつコスト高であった。また、特に合成樹脂材料で製作されるヘッダーは、内部に水が流通することから耐衝撃性に優れた柔軟性を備える材料を使用する必要があった。その一方で、ヘッダーに接続された管の抜けを阻止するためには、ヘッダーの材料として、剛性や強度の高い材料を使用する必要があった。しかし、ヘッダーの材料として、柔軟性を備え、かつ、管の抜けを阻止する剛性や強度を備える、機能性に優れた材料を選定することは、困難であったり、またコスト高の要因ともなった。
【０００５】
また、本管についても、金属管、塩ビ管、架橋ポリエチレン管やポリブデン管等、管の材質によって、その接続方法も異なるため、それぞれに対応させる必要があった。
【０００６】
この発明は、上記した従来の欠点を解決するためになされたものであり、その目的とするところは、接続される管の種類に容易に対応することができ、かつ、継手としての機能性に優れるとともにコストを低減することができる、分岐管継手を提供することにある。
【課題を解決するための手段】
【０００７】
この発明に係る分岐管継手は、前記目的を達成するために、次の構成からなる。すなわち、
請求項１に記載の発明に係る分岐管継手は、建物内の各設備に水を分岐供給すべく、一側に、本管が接続される本管接続部を有するとともに、他側に、分岐管が接続される分岐管接続部を複数有する、分岐管継手である。この分岐管継手は、前記本管接続部を有する本管接続部材と、前記分岐管接続部を有して前記本管接続部材と組み合わされる分岐管接続部材とを備える。そして、前記分岐管接続部材は、前記分岐管接続部を構成し前記分岐管が水密状態に挿入される分岐管挿入口を有する、挿入口形成部材と、その挿入口形成部材と連結されるとともに、前記分岐管挿入口に挿入された前記分岐管の抜脱を防止する、抜脱防止部材とからなる。そして、前記本管接続部材と前記挿入口形成部材とは互いに連結されて、内部に前記本管から流出した水が各分岐管に流入する水流通路が形成される。
【０００８】
この分岐管継手によると、分岐管継手は、本管接続部材と分岐管接続部材とに分かれて構成されており、接続される本管の材質とか径に対応するには、本管接続部材側を交換すればよく、また、接続される分岐管の本数とか径に対応するには、分岐管接続部材側を交換すればよい。さらに、分岐管接続部材は、分岐管が水密状体に挿入される分岐管挿入口を有して本管接続部材と連結される挿入口形成部材と、分岐管の抜脱を防止する抜脱防止部材とに分かれて構成されている。こうして、水圧変動に対抗する耐衝撃性を確保するために柔軟性を必要とする部位を挿入口形成部材とし、分岐管の抜けを阻止するために剛性や強度を必要とする部位を抜脱防止部材とするように、両部位を別部材で構成することで、それぞれの部位に応じて異なる材料、つまりそれぞれの部位に適した材料を使用することができる。
【０００９】
また、請求項２に記載の発明に係る分岐管継手は、請求項１に記載の分岐管継手において、前記水流通路は、前記本管接続部と複数の前記分岐管挿入口とに臨んで前記本管の流路断面よりも大きな断面の流路からなる。
【００１０】
また、請求項３に記載の発明に係る分岐管継手は、請求項１または２に記載の分岐管継手において、前記本管接続部材は、前記本管の材質または径に応じて前記本管接続部を変更可能とすべく、前記本管の材質または径に対応する複数種類から択一的に選択されて用いられる。
【００１１】
また、請求項４に記載の発明に係る分岐管継手は、請求項１ないし３のいずれか１項に記載の分岐管継手において、前記分岐管接続部材は、前記分岐管の本数または径に応じて前記分岐管接続部を変更可能とすべく、前記分岐管の本数または径に対応する複数種類から択一的に選択されて用いられる。
【００１２】
また、請求項５に記載の発明に係る分岐管継手は、請求項１ないし４のいずれか１項に記載の分岐管継手において、前記建物における壁に固定するための固定部材が着脱自在に組み付けられてなる。これにより、壁への固定形態に対応した固定部材を複数種類用意して、それらを交換することで、壁への固定形態を簡単に変更することができる。
【００１３】
また、請求項６に記載の発明に係る分岐管継手は、請求項５に記載の分岐管継手において、前記分岐管継手が前記壁に設けられた貫通孔に設置されるように、前記固定部材は、前記貫通孔の周縁部分の壁面に面する鍔部を有する。
【発明の効果】
【００１４】
この発明に係る分岐管継手によれば、分岐管継手を、本管接続部材と分岐管接続部材とに分けて構成することで、接続される管の種類に容易に対応することができる。そして、分岐管接続部材にあっては、水圧変動に対抗する耐衝撃性を確保するために柔軟性を必要とする部位を挿入口形成部材とし、分岐管の抜けを阻止するために剛性や強度を必要とする部位を抜脱防止部材とするように、両部位を別部材で構成することで、それぞれの部位に適した材料を使用することができ、このため、継手としての機能性に優れるとともにコストを低減することができる。
【発明を実施するための最良の形態】
【００１５】
以下、この発明に係る分岐管継手を実施するための最良の形態を図面に基づいて説明する。
【００１６】
図１〜図１３は、本発明の一実施の形態を示す。図中符号１は、建物における壁、例えば、基礎コンクリートの立上り壁とか外壁、その他の壁である。２は、配水管となる本管である。３は、分岐管であって、例えば、架橋ポリエチレンとかポリブデン等の可撓性を備える合成樹脂管からなる。４は、前記本管２からの水（湯を含む）を前記分岐管３に分岐するための分岐管継手である。
【００１７】
分岐管継手４は、建物内の各設備に水（湯を含む）を分岐供給すべく、一側に、本管２が接続される本管接続部４ａを有するとともに、他側に、分岐管３が接続される分岐管接続部４ｂを複数有する。そして、この分岐管継手４は、前記本管接続部４ａを有する本管接続部材５と、前記分岐管接続部４ｂを有して本管接続部材５と組み合わされる分岐管接続部材６とを備える。さらに、分岐管接続部材６は、挿入口形成部材７と、その挿入口形成部材７と連結される抜脱防止部材８とからなる。
【００１８】
ここで、挿入口形成部材７は、前記分岐管接続部４ｂを構成し分岐管３が水密状態に挿入される分岐管挿入口７ａを有する。一方、抜脱防止部材８は、分岐管挿入口７ａに挿入された分岐管３の抜脱を防止する部材であって、抜脱防止手段８ａを有する。そして、前記本管接続部材５と挿入口形成部材７とは互いに連結されて、その連結された内部に本管２から流出した水（湯を含む）が各分岐管３に流入する水流通路４ｃが形成される。詳細には、この水流通路４ｃは、本管接続部４ａと複数の分岐管挿入口７ａ、７ａとに臨んで本管２の流路断面よりも大きな断面の流路からなる。また、分岐管継手４には、建物の壁１に固定するための固定部材９が着脱自在に組み付けられる。
【００１９】
具体的には、分岐管継手４は、図１〜図９に示すように、前記本管接続部材５と前記分岐管接続部材６と前記固定部材９と、分岐管接続部材６における挿入口形成部材７に取り付けられる複数（図示実施の形態においては五つ）の筒体１０、１０とから構成される。ここで、本管接続部材５は、例えば合成樹脂製であって、本管接続部材本体１１と補助部材１２とからなる。本管接続部材本体１１は、前側から後方に向かうに連れて階段状に径大となった筒形状をして、前側から順に並ぶ、第１筒部１１ａと第２筒部１１ｂと第３筒部１１ｃと第４筒部１１ｄとからなる。そして、第１筒部１１ａが、前記本管接続部４ａとなり、この本管接続部４ａの内周には、雌ねじ１１ｅが螺設されている。一方、本管２は、例えば、端部に雄ねじが螺設された鉄管からなり、その雄ねじが、本管接続部４ａの雌ねじ１１ｅにねじ込まれることで、本管２は、本管接続部４ａに接続される。また、第４筒部１１ｄには、側方に突出する複数の突部１１ｕ、１１ｕが設けられており、この突部１１ｕには、後述する組付ビス２１が通る通孔１１ｆが明けられている。
【００２０】
補助部材１２は、筒状部１２ａと、その筒状部１２ａの後端から外方に延びる環状部１２ｂとからなる。そこで、補助部材１２は、筒状部１２ａが、本管接続部材本体１１における第１筒部１１ａの外周面を覆い、環状部１２ｂが、本管接続部材本体１１における第１筒部１１ａから第２筒部１１ｂに移る段部１１ｇに載る。
【００２１】
分岐管接続部材６における挿入口形成部材７は、例えば合成樹脂製であって、円盤状に形成されて、前記分岐管挿入口７ａとなる孔が複数（図示実施の形態においては五つ）明けられている。そして、この分岐管挿入口７ａには、前方に開口するリング状の第１溝７ｂと、後方に開口するリング状の第２溝７ｃとが形成されている。また、挿入口形成部材７の外周面には、リング状の外周溝７ｄが形成されている。そこで、第２溝７ｃには、止水部材としての第１パッキン２２が嵌められ、外周溝７ｄには、止水部材としての第２パッキン２３が嵌められる。
【００２２】
また、前述の筒体１０は、例えば合成樹脂製あるいは金属製であって、後端部分が第１溝７ｂに嵌まるようにして、挿入口形成部材７に取り付けられる。この筒体１０の内径は、その後部側が、分岐管挿入口７ａの径とほぼ同一であり、前部側が、後部側よりも径小に形成されて、その前部側から後部側に移る部分が、後方を向く段部１０ａとなっている。そこで、挿入口形成部材７は、本管接続部材５（詳細には、本管接続部材本体１１）の第４筒部１１ｄに挿入されて、これら本管接続部材５と挿入口形成部材７とが組み合わされる。このとき、筒体１０の前端面が、第２筒部１１ｂの内面から第３筒部１１ｃに内面に移る段部１１ｈに当接して、筒体１０は、挿入口形成部材７に対して抜け止めされる。そして、第２筒部１１ｂの内部が、前記水流通路４ｃとなる。
【００２３】
抜脱防止部材８は、挿入口形成部材７と組み合わされて分岐管接続部材６を形成するものである。この抜脱防止部材８は、抜脱防止部材本体１３と、前記抜脱防止手段８ａとしてのストッパー部材１４とからなる。抜脱防止部材本体１３は、例えば合成樹脂製であって、円盤状に形成されて、本管接続部材５および挿入口形成部材７の後方に配置されて、その挿入口形成部材７が本管接続部材５から抜け出るのを押える。この抜脱防止部材本体１３には、分岐管挿入口７ａと対応するように分岐管補助挿入口１３ａが複数（図示実施の形態においては、五つ）明けられており、これら分岐管挿入口７ａと分岐管補助挿入口１３ａとで、前記分岐管接続部４ｂが、前記本管接続部４ａとは反対方向に臨むように形成される。分岐管補助挿入口１３ａは、分岐管挿入口７ａとほぼ同一径となる前部を備えており、その前部を除く後方部分は、大径となるよう窪む凹部１３ｂとなっている。また、抜脱防止部材本体１３の前面には、分岐管補助挿入口１３ａの周縁部において、リング状に突出する突部１３ｃが設けられており、この突部１３ｃが、挿入口形成部材７における第２溝７ｃに僅かに進入し、第１パッキン２２を挿入口形成部材７に対して抜け止めする。そして、この抜脱防止部材本体１３の周壁１３ｄの内側には、後述する固定ビス２８、２８の貫通を案内する、溝状の複数の案内部１３ｅ、１３ｅが設けられ、さらに、それぞれの案内部１３ｅ、１３ｅと連通する通孔１３ｆ、１３ｆが、前記抜脱防止部材本体１３の後面に明けられている。
【００２４】
ストッパー部材１４は、例えば合成樹脂製あるいは金属製であって、板状に形成されて、抜脱防止部材本体１３の後面に沿うように配置される。このストッパー部材１４は、長孔１４ａを有し、この長孔１４ａに挿入されて抜脱防止部材本体１３にねじ込まれる取付ビス２４により、その抜脱防止部材本体１３に取り付けられる。そして、ストッパー部材１４は、先端部分の両側が、分岐管３の外周面に合う円弧状の端面を有して後述の係合体２６を係止する係止部１４ｂ、１４ｂとなる。また、ストッパー部材１４には、後端に、後方に曲げられた摘み部１４ｃが設けられている。そこで、取付ビス２４を緩めた状態では、長孔１４ａが取付ビス２４に案内されて、ストッパー部材１４は、抜脱防止部材本体１３の後面上を、係止部１４ｂが分岐管補助挿入口１３ａの凹部１３ｂに臨む第１位置（図５参照）と、係止部１４ｂが凹部１３ｂから外れて退避する第２位置（図６参照）との間を、移動可能となる。そして、これら第１位置や第２位置において、取付ビス２４を締め込むことで、その位置に、ストッパー部材１４を固定することができる。
【００２５】
対する分岐管３は、図８に示すように、その端部部分に、筒状のコア部材２５が挿入される。そして、分岐管３の端部部分の外周側には、筒状の係合体２６が取り付け固定される。この係合体２６は、分岐管３の端部部分における、端部部分先端部３ａの後方の外周側に、分岐管３をコア部材２５とで挟持するように嵌め込まれる。図示実施の形態においては、係合体２６は、割リング２６ａと本体リング２６ｂとから構成されている。割リング２６ａは、筒の一ヶ所が軸方向に分断された断面Ｃ字状に形成されて、分岐管３の端部部分の外周側に嵌め込まれるものである。そして、この割リング２６ａの外周面は、分岐管３の先端方向側ほど径大となるように傾斜したテーパ面となっている。一方、本体リング２６ｂは、割リング２６ａの外周側に嵌め込まれて、その割リング２６ａが分岐管３の端部部分を圧接するようにその割リング２６ａを縮径させるものである。この本体リング２６ｂは、筒状であって、その内周面は、割リング２６ａの外周面と同様に、分岐管３の先端方向側ほど、径大となるように傾斜したテーパ面となっている。
【００２６】
そこで、この係合体２６が取り付けられた分岐管３の端部部分を、ストッパー部材１４が前記第２位置（図６参照）にある分岐管接続部４ｂに挿入する。このとき、分岐管３の端部部分は、挿入口形成部材７に取り付けられた筒体１０と、挿入口形成部材７の分岐管挿入口７ａと、抜脱防止部材８の分岐管補助挿入口１３ａに挿入され、係合体２６は、抜脱防止部材８における凹部１３ｂに挿入される。その後、ストッパー部材１４を前記第１位置（図５参照）に移動する（図９参照）。こうすることで、ストッパー部材１４（詳細には、係止部１４ｂ）が係合体２６を抜け止めするように係止し、ひいては、分岐管３の抜脱が防止される。なお、筒体１０内部の段部１０ａは、分岐管３の先端面（詳細には、コア部材２５の先端面）に当接することで、分岐管３が所定以上に分岐管接続部４ｂに進入するのを防いでいる。
【００２７】
固定部材９は、分岐管継手４が壁１に設けられた貫通孔１ａに設置されるように、貫通孔１ａの周縁部分の壁面（一方の壁面１ｂ）に面する鍔部９ａを有する（図１参照）。詳細には、固定部材９は、例えば合成樹脂製であって、筒状に形成された本体部９ｂと、その本体部９ｂの前端から径大となる側に延設された前記鍔部９ａと、本体部９ｂの前端から径小となる側に延設された内側延設部９ｃとからなる。この固定部材９は、本管接続部材５に被せられるように組み付けられて、内側延設部９ｃが本管接続部材５（詳細には、補助部材１２）における環状部１２ｂを前方から押え、本体部９ｂの後端面が、抜脱防止部材８（詳細には、抜脱防止部材本体１３）の前端面に当接する。そして、内側延設部９ｃに明けられた組付孔９ｄおよび本管接続部材５における通孔１１ｆを通って抜脱防止部材８（詳細には、抜脱防止部材本体１３）にねじ込まれる組付ビス２１により、固定部材９と抜脱防止部材８とが連結される（図７参照）。そして、この連結により、本管接続部材５および挿入口形成部材７は、固定部材９内に保持され、本管接続部材５と挿入口形成部材７とは互いに連結され、抜脱防止部材８は、挿入口形成部材７と連結される。
【００２８】
また、固定部材９には、内側延設部９ｃに、分岐管継手４を壁１に固定するための固定孔９ｅ、９ｅが明けられている。そして、分岐管継手４は、図１に示すように、分岐管接続部材６側を先にして、壁１の一方の壁面１ｂ側から貫通孔１ａに挿入される。この挿入によって、固定部材９の鍔部９ａが、貫通孔１ａの周縁部分の一方の壁面１ｂに当接する。一方、壁１の他方の壁面１ｃには、予め、貫通孔１ａに臨むようにして、固定具２７が、接着とか釘２９等により固定されている（図１、図２参照）。そこで、固定ビス２８を、固定部材９の固定孔９ｅに挿入し、抜脱防止部材本体１３の案内部１３ｅおよび通孔１３ｆを通過させることにより抜脱防止部材８を貫通させて、固定具２７にねじ込む。こうすることで、鍔部９ａと固定具２７とで壁１を挟み込み、分岐管継手４は、壁１の貫通孔１ａに設置される。
【００２９】
ところで、分岐管継手４を構成する前記本管接続部材５は、本管２の材質または径に応じて本管接続部４ａを変更可能とすべく、本管２の材質または径に対応する複数種類から択一的に選択されて用いられる。例えば、本管２の材質については、前述のように、本管２が鉄管である場合で説明したが、塩ビ管の場合には、図１０に示す本管接続部材５が用いられる。この本管接続部材５における本管接続部材本体１１の第１筒部１１ａは、長めの円筒形状をしおり、この第１筒部１１ａが、本管接続部４ａとなる。そして、本管としての塩ビ管は、接着によりこの本管接続部４ａに接続される。また、本管２が、架橋ポリエチレンとかポリブデン等の可撓性を備える合成樹脂管からなる場合には、図１１に示す本管接続部材５が用いられる。この本管接続部材５においては、本管接続部材本体１１の第１筒部１１ａと補助部材１２の筒状部１２ａとで、本管接続部４ａが形成される。すなわち、第１筒部１１ａには、止水部材としてのパッキン（図示せず）が装着されて、第１筒部１１ａと可撓性を備える合成樹脂管（本管）との間が水密状態となる。そして、筒状部１２ａには、本管としての可撓性を備える合成樹脂管に取付固定された係合体（分岐管３における係合体２６と同様の構成）が挿入され、その係合体が、筒状部１２ａ内で、係止ピン３０により抜け止めされる。詳細には、係止ピン３０は、例えばＵ字形状をしており、筒状部１２ａに明けられた孔Ｘに挿入されて、筒状部１２ａ内の係合体を係止し、前記合成樹脂管（本管）の抜脱を防止する。
【００３０】
また、分岐管継手４を構成する前記分岐管接続部材６は、分岐管３の本数または径に応じて分岐管接続部４ｂを変更可能とすべく、分岐管３の本数または径に対応する複数種類から択一的に選択されて用いられる。すなわち、分岐管接続部４ｂ、つまりは分岐管挿入口７ａおよび分岐管補助挿入口１３ａの数や径の異なる、挿入口形成部部材７および抜脱防止部材８を、複数種類用意して、それら複数種類から選択して用いる。
【００３１】
次に、以上の構成からなる分岐管継手４の作用効果について説明する。この分岐管継手４によると、分岐管継手４は、本管接続部材５と分岐管接続部材６とに分かれて構成されており、接続される本管２の材質とか径に対応するには、本管接続部材５側を交換すればよく、また、接続される分岐管３の本数とか径に対応するには、分岐管接続部材６側を交換すればよい。つまり、分岐管継手４を、本管接続部材５と分岐管接続部材６とに分けて構成することで、接続される管（本管２とか分岐管３）の種類に容易に対応することができる。
【００３２】
さらに、分岐管接続部材６は、分岐管３が水密状体に挿入される分岐管挿入口７ａを有して本管接続部材５と連結される挿入口形成部材７と、分岐管３の抜脱を防止する抜脱防止部材８とに分かれて構成されている。こうして、水圧変動に対抗する耐衝撃性を確保するために柔軟性を必要とする部位を挿入口形成部材７とし、分岐管３の抜けを阻止するために剛性や強度を必要とする部位を抜脱防止部材８とするように、両部位を別体となる別部材で構成することで、それぞれの部位に応じて異なる材料、つまりそれぞれの部位に適した材料を使用することができる。そして、このことから、継手としての機能性に優れるとともに、材料費を削減し、分岐管継手４のコストを低減することができる。
【００３３】
また、この分岐管継手４には、建物における壁１に固定するための固定部材９が着脱自在に組み付けられており、これにより、壁１への固定形態に対応した固定部材９を複数種類用意して、それらを交換することで、壁１への固定形態を簡単に変更することができる。図１２は、分岐管継手４を、壁における壁面上に設置するための固定部材９を示す。そして、この固定部材９を用いた分岐管継手を、図１３に示す。この固定部材９は、本体部９ｂの外周面から延設されて固定孔９ｅが明けられた取付部Ｙを有している。そこで、この取付部Ｙを壁面に当接させるように分岐管継手４を壁面に配置し、固定ビス（図示せず）を、固定孔９ｅを通して壁１にねじ込む。こうして、分岐管継手４が壁の壁面に設置される。
【図面の簡単な説明】
【００３４】
【図１】この発明の一実施の形態の、縦断面図である。
【図２】図１におけるＰ矢視図である。
【図３】分岐管継手の縦断面図である。
【図４】分岐管継手の正面図である。
【図５】分岐管継手の背面図であって、ストッパー部材が第１位置にあるときを示す。
【図６】分岐管継手の背面図であって、ストッパー部材が第２位置にあるときを示す。
【図７】分岐管継手の分解斜視図である。
【図８】分岐管が分岐管接続部に挿入される前の状態を示す要部拡大縦断面図である。
【図９】分岐管が分岐管接続部に挿入されている状態を示す要部拡大縦断面図である。
【図１０】本管接続部材の他の種類を示す分解斜視図である。
【図１１】本管接続部材のさらに他の種類を示す分解斜視図である。
【図１２】固定部材の他の種類を示す斜視図である。
【図１３】図１２に示す固定部材を用いた分岐管継手を示す斜視図である。
【符号の説明】
【００３５】
１  壁
１ａ  貫通孔
１ｂ  一方の壁面（壁面）
２  本管
３  分岐管
４  分岐管継手
４ａ  本管接続部
４ｂ  分岐管接続部
４ｃ  水流通路
５  本管接続部材
６  分岐管接続部材
７  挿入口形成部材
７ａ  分岐管挿入口
８  抜脱防止部材
９  固定部材
９ａ  鍔部
【図１】
2009197835.tif 000003
【図２】
2009197835.tif 000004
【図３】
2009197835.tif 000005
【図４】
2009197835.tif 000006
【図５】
2009197835.tif 000007
【図６】
2009197835.tif 000008
【図７】
2009197835.tif 000009
【図８】
2009197835.tif 000010
【図９】
2009197835.tif 000011
【図１０】
2009197835.tif 000012
【図１１】
2009197835.tif 000013
【図１２】
2009197835.tif 000014
【図１３】
2009197835.tif 000015